(57)【要約】【課題】  支持具のパネルへの取り付けを容易に行うことができ、かつ支持具をパネルに取り付けるための取付部材や棒部材の端部を外部に露呈させることなく、棒部材を見栄えよく取り付けることができる棒部材の取付構造を提供すること。【解決手段】  棒部材３をパネル２の表面から所定間隔離間させてパネル２に取り付けるための取付構造であって、棒部材３の少なくとも両端部を支持する左右一対の支持具４を備え、左右一対の支持具４それぞれは、左右方向に離間する少なくとも２つの支持板７、８と、支持板７、８同士を連結する連結板９とからなり、連結板９には支持具４をパネル２に取り付けるための取付部材１４を挿通させる通孔１３が形成され、少なくとも一つの支持板８には棒部材３が挿設される貫通孔１０が形成されており、さらに支持板７、８間に形成された開口には、開口を被覆するための蓋部材１５が設けられている。【選択図】  図２
2006075259.tif 000002
【特許請求の範囲】
【請求項１】
棒部材をパネルの表面から所定間隔離間させてパネルに取り付けるための取付構造であって、
前記棒部材の少なくとも両端部を支持する左右一対の支持具を備え、
前記左右一対の支持具それぞれは、左右方向に離間する少なくとも２つの支持板と、該支持板同士を連結する連結板とからなり、該連結板には当該支持具を前記パネルに取り付けるための取付部材を挿通させる通孔が形成され、少なくとも一つの前記支持板には前記棒部材が挿設される貫通孔が形成されており、さらに前記支持板間に形成された開口には、該開口を被覆するための蓋部材が設けられていることを特徴とする棒部材の取付構造。
【請求項２】
前記貫通孔が設けられていない支持板の内面側には、前記棒部材の端部が嵌合する嵌合凹部が形成されている請求項１に記載の棒部材の取付構造。
【請求項３】
前記蓋部材の内面側には、前記棒部材を把持する把持部が設けられている請求項１または２に記載の棒部材の取付構造。
【請求項４】
前記支持板における前記貫通孔の周囲に、肉厚部が形成されている請求項１ないし３のいずれかに記載の棒部材の取付構造。
【請求項５】
前記蓋部材の内面側には、前記支持具への取り付け時において前記棒部材の端部と前記支持板との間に嵌挿される嵌挿部が設けられている請求項１または４に記載の棒部材の取付構造。
【発明の詳細な説明】
【技術分野】
【０００１】
本発明は、棒部材をパネルの表面から所定間隔離間させてパネルに取り付けるための取付構造に関する。
【背景技術】
【０００２】
従来、この種の棒部材をパネルに取り付けるための取付構造の一例としては、例えば書架等の棚に陳列される書籍を落下しないように保持するための略コ字状に形成された保持杆（棒部材）を、その後方を向く両端部を蓋板（パネル）の表面に取り付けたものがある（例えば、特許文献１参照）。
【０００３】
また、タオル等の小物類を吊り掛けるために壁等に取り付けられるタオル掛け用バーなどにおける棒部材の取付構造として、支持具に形成された貫通孔に挿入したハット状部材の筒状部内にバーの端部を挿入するとともに、バー（棒部材）の両端部に装着された支持具に形成されたビス孔に前方からビスを挿通し、このビスを壁にねじ込んで支持具を壁に固着することで、バーを壁に取り付けるものがある（例えば、特許文献２参照）。
【０００４】
さらに、支持具に形成された小穴（通孔）に前方からビスを挿通し、このビスを壁等にねじ込んで支持具を壁に固着するとともに、掛桟（棒部材）の両端部に形成されたネジに連結部の外側より締付具を螺着することで、掛桟を壁に取り付けるものがある（例えば、特許文献３参照）。
【０００５】
【特許文献１】実公昭４８−３３２３３号公報（第１頁、第４図）
【特許文献２】実開昭５６−１４０３９８号公報（第３頁、第１図）
【特許文献３】実開昭５６−１０３２８５号公報（第２頁、第１図）
【発明の開示】
【発明が解決しようとする課題】
【０００６】
しかしながら、特許文献１に記載の取付構造にあっては、例えば保持杆の両端部を蓋板の前面に形成された取付孔内に嵌挿して取り付ける構造とすると、保持杆が前方に抜け落ちやすいとともに、また、蓋板に嵌挿した保持杆の両端部を蓋板の背面にて取り付ける構造とすると、保持杆の取り付けを蓋板の背面側にて行わなければならず、作業性が悪いといった問題があった。
【０００７】
また、特許文献２、３に記載の取付構造にあっては、支持具を壁（パネル）に取り付けるためのビスがパネルの前面側に露呈して見栄えが悪いとともに、バーや掛桟（棒部材）を支持具に対して支持させるためにハット状部材や締付具等が必要となるばかりか、これら棒部材の端部や、ハット状部材、締付具等が支持具の側方に突出されるため、支持具を側方から見たときの見栄えも悪いといった問題があった。
【０００８】
本発明は、このような問題点に着目してなされたもので、支持具のパネルへの取り付けを容易に行うことができ、かつ支持具をパネルに取り付けるための取付部材や棒部材の端部を外部に露呈させることなく、棒部材を見栄えよく取り付けることができる棒部材の取付構造を提供することを目的とする。
【課題を解決するための手段】
【０００９】
前記課題を解決するために、本発明の請求項１に記載の棒部材の取付構造は、
棒部材をパネルの表面から所定間隔離間させてパネルに取り付けるための取付構造であって、
前記棒部材の少なくとも両端部を支持する左右一対の支持具を備え、
前記左右一対の支持具それぞれは、左右方向に離間する少なくとも２つの支持板と、該支持板同士を連結する連結板とからなり、該連結板には当該支持具を前記パネルに取り付けるための取付部材を挿通させる通孔が形成され、少なくとも一つの前記支持板には前記棒部材が挿設される貫通孔が形成されており、さらに前記支持板間に形成された開口には、該開口を被覆するための蓋部材が設けられていることを特徴としている。
この特徴によれば、棒部材の左右端部を、左右の支持具における一方の支持板に設けられた貫通孔に挿設し、取付部材を前方から通孔に挿通して支持具をパネルに取り付けることで、棒部材の左右端部が支持具により支持されるとともに、棒部材の左右端部は、貫通孔が形成されていない支持板との当接により長手方向への移動が規制され、棒部材の脱落が防止されるばかりか、棒部材の端部や取付部材が蓋部材によって隠蔽されるので、支持具の見栄えが向上する。また、取付部材による支持具のパネルへの取り付け、取り外し作業をパネルの前方から行うことができるので、作業性が向上するとともに、廃棄処理の際においてパネルと棒部材並びに支持具とを容易に分別することができる。
【００１０】
本発明の請求項２に記載の棒部材の取付構造は、請求項１に記載の棒部材の取付構造であって、
前記貫通孔が設けられていない支持板の内面側には、前記棒部材の端部が嵌合する嵌合凹部が形成されていることを特徴としている。
この特徴によれば、貫通孔が形成された支持板と、嵌合凹部が形成された支持板とにより棒部材の端部が支持されるので、棒部材の支持強度が向上するとともに、貫通孔に挿通された棒部材のがたつきが効果的に防止される。
【００１１】
本発明の請求項３に記載の棒部材の取付構造は、請求項１または２に記載の棒部材の取付構造であって、
前記蓋部材の内面側には、前記棒部材を把持する把持部が設けられていることを特徴としている。
この特徴によれば、支持具に蓋部材を取り付けるための取付部等を形成することなく、蓋部材を簡単に設けることができる。
【００１２】
本発明の請求項４に記載の棒部材の取付構造は、請求項１ないし３のいずれかに記載の棒部材の取付構造であって、
前記支持板における前記貫通孔の周囲に、肉厚部が形成されていることを特徴としている。
この特徴によれば、支持板による棒部材の支持強度が高まる。
【００１３】
本発明の請求項５に記載の棒部材の取付構造は、請求項１または４に記載の棒部材の取付構造であって、
前記蓋部材の内面側には、前記支持具への取り付け時において前記棒部材の端部と前記支持板との間に嵌挿される嵌挿部が設けられていることを特徴としている。
この特徴によれば、左右の支持具をパネルに取り付けた後に棒部材を一方の支持具の貫通孔内に挿通した後、他方の支持具の貫通孔内に挿通させることができ、蓋部材を設けることで棒部材の左右端部と支持板との間に形成される隙間に嵌挿部が嵌挿されることで、棒部材の長手方向への移動が規制されるため、支持具のパネルに対する取り付けを棒部材がない状態で容易に行うことができる。
【発明を実施するための最良の形態】
【００１４】
本発明の実施例を以下に説明する。
【実施例１】
【００１５】
本発明の実施例を図面に基づいて説明すると、先ず図１は、実施例１における棒部材の取付構造が適用された本棚を示す斜視図であり、図１の符号１は、書籍等を収納するための本棚１であり、この本棚１の後面側には、パネル２が取り付けられている。このパネル２の前面側には、左右方向に延びる棒部材３が支持具４を介して取り付けられるとともに、この棒部材３の下方には、横長の板状部材を屈曲させて形成された受部材５が取り付けられており、受部材５上に雑誌６の下端を載置するとともに、雑誌６の上部の前倒を棒部材３により保持することで雑誌６を倒立状態で陳列することが可能なマガジンラックが形成されている。
【００１６】
図１に示すように、棒部材３は、その左右両端部に取り付けた左右一対の支持具４をパネル２の前面に固着することで、パネル２の前面から所定間隔離間した状態でパネル２に取り付けられる。よって、棒部材３とパネル２との間に雑誌６を上方から挿入することができ、雑誌６の下端が受部材５に載置されることで、雑誌６が棒部材３と受部材５とで保持される。
【００１７】
図２（ａ）は、実施例１における棒部材の取付構造を示す分解斜視図であり、図２（ｂ）は、実施例１における棒部材の取付構造を示す斜視図であり、図３は、実施例１における棒部材の取付構造を示す横断平面図であり、図４は、実施例１における棒部材の取付構造を示す縦断側面図である。以下、図２の左斜め下をパネル２の前方とし、図３及び図４の左側をパネル２の前方として説明する。
【００１８】
図２（ａ）に示すように、棒部材３は略円柱形状をなす所定長さに形成され、パネル２の前面（表面）から前方に所定距離離間する前方位置に、前面に対して平行に、かつ、水平に配置される。棒部材３の両端部に配置される左右一対の支持具４は同一構成なので、左側に配置される支持具４について説明すると、支持具４は、側面視で略半円形状をなすとともに、互いに左右方向に離間配置されるほぼ同形状をなす２枚の支持板７、８と、これら２枚の支持板７、８の後端間を連結する連結板９とからなり、支持板７、８及び連結板９は合成樹脂により一体成型で形成されている。
【００１９】
また、図２（ａ）に示すように、支持具４における内方側の支持板８には、左右方向に貫通する貫通孔１０がパネル２の前面から所定間隔離れた位置に形成されており、この貫通孔１０は棒部材３の外径とほぼ同じ内径を有するとともに、貫通孔１０の周囲には、支持板８が肉厚に形成されて突出された肉厚部１１が設けられている。また、外方側に配置される支持板７の内面側には、内方側の支持板８に形成された貫通孔１０に対応する位置に、支持板７の内面が円形状に凹んだ嵌合凹部１２が形成されており、この嵌合凹部１２は棒部材３の外径とほぼ同じ内径を有している。
【００２０】
更に、図２（ａ）に示すように、支持具４における連結板９には、前後方向に貫通する通孔１３が上下に２つ並んで形成される。通孔１３には、本実施例における取付部材としてのネジ１４が挿通されるようになっており、通孔１３に前方から挿通されたネジ１４が、パネル２の前面に螺入されることによって、支持具４がパネル２の前面に取り付けられている。
【００２１】
図２及び図３に示すように、支持具４における支持板７、８同士の間の開口には、合成樹脂等の材質で形成された蓋部材１５が取り付けられるようになっており、この蓋部材１５は、図４に示すように、側面視で略半円弧形状をなしている。蓋部材１５の内面側には、側面視で略Ｃ字形状をなす把持部１６が形成されている。この把持部１６は、合成樹脂材により弾性変形自在に形成されており、弾性変形により上下端部が開口することで棒部材３の外周に装着され、弾性復帰力により棒部材３の外周に保持されるようになっている。また、蓋部材１５の外面は、その幅方向の中央に向けて凹む曲率を有するラウンド面１７が形成されている。
【００２２】
次に、棒部材３の取付方法について説明すると、先ず、左右一対の支持具４のうち、一方の支持具４をパネル２の前面に取り付ける。図２（ａ）に示すように、支持具４をパネル２に取り付ける際には、支持具４における連結板９に形成された通孔１３に前方からネジ１４を挿通し、このネジ１４をパネル２の前面に螺入することで、支持具４をパネル２に取り付ける。そして、棒部材３の左側端部を、支持具４の内方側の支持板８に形成された貫通孔１０に挿通するとともに、支持具４の外方側の支持板７の内面側に形成された嵌合凹部１２内に嵌合させる。
【００２３】
次いで、棒部材３の右側端部を、他方の支持具４の内方側の支持板８に形成された貫通孔１０に挿通し、支持具４の外方側の支持板７の内面側に形成された嵌合凹部１２に、棒部材３の右側端部を嵌合させた後、連結板９に形成された通孔１３に前方からネジ１４を挿通し、このネジ１４をパネル２の前面に螺入させることで他方の支持具４をパネル２の前面に取り付ける。
【００２４】
このように棒部材３の左右両端部を内側の支持板８の貫通孔１０内に挿入し、支持具４をネジ１４を介して前方から取り付けることで、棒部材３が支持板８により支持されるとともに、貫通孔１０が形成されていない外側の支持板７の内面（嵌合凹部１２の底面）により棒部材３の端部（端面）が当接して左右方向（長手方向）への移動が規制され、棒部材３の配置位置にずれが生じたり、支持具４から脱落することが防止されるため、棒部材３をパネル２の前面に容易に取り付けることができる。
【００２５】
また、棒部材３の左右端部が支持具４の嵌合凹部１２に嵌合されることで、貫通孔１０が形成された内方側の支持板８と、嵌合凹部１２が形成された外方側の支持板７との２枚の支持板７、８によって支持されるので、棒部材３がより強固に支持されるとともに、例えば貫通孔１０内に挿通された棒部材３のがたつきが、嵌合凹部１２内への嵌合により効果的に防止される。
【００２６】
更に、外方側の支持板７によって棒部材３の端部が支持具４から突出されずに配置されるとともに、棒部材３の端部と、支持具４をパネル２に取り付けるためのネジ１４とが、支持具４における支持板７、８同士の開口を覆う蓋部材１５によって隠蔽されるので、支持具４を見栄えが向上されるようになっている。
【００２７】
尚、支持具４のパネル２への取り付け、取り外し作業を、パネル２の前方からビス１４を介して行うことができるので、棒部材３や支持具４や蓋部材１５やネジ１４などの部材をパネル２に対して容易に行うことができるばかりか、再利用や再資源化するときにパネル２との分別を容易に行うことができる。
【００２８】
また、支持板８における貫通孔１０の周囲に肉厚部１１が形成されることで、肉厚部１１により貫通孔１０の周囲が補強されるため、支持板８の幅全体を厚くすることなく部分的に強度を向上させることができる。
【００２９】
そして、図４に示すように、支持具４の外方側と内方側の支持板７、８間に形成された開口を蓋部材１５により被覆することで、蓋部材１５の内面側に設けられた把持部１６が弾性変形により棒部材３に装着され、弾性復帰力により棒部材３を把持するようになっており、これにより蓋部材１５の支持具４からの脱落が防止されるとともに、支持具４に蓋部材１５を取り付けるために、別途、蓋部材１５取付用の取付部等を支持具４に形成することなく、蓋部材１５を簡単に支持具４に取り付けることができる。尚、蓋部材１５の内面側に把持部１６が形成されていることで、蓋部材１５が支持具４に取り付けられた際に、蓋部材１５の左右に配置される支持板７、８によって、把持部１６が隠蔽されるようになっている。
【００３０】
また、図３に示すように、蓋部材１５の外面側にラウンド面１７が形成されることにより、蓋部材１５が幅方向に弾性変形し易くなっており、蓋部材１５が支持具４の支持板７、８同士の間に取り付けられたときに、蓋部材１５の左右両側面が、支持具４の支持板７、８の内面に対して密に接触されるようになるため、支持具４と蓋部材１５との間に隙間が形成されにくく、見栄えが向上するとともに、ゴミ等の進入が防止される。
【実施例２】
【００３１】
次に、実施例２に係る棒部材の取付構造につき、図５及び図６を参照して説明する。尚、前記実施例と同一構成で重複する構成を省略する。図５は、実施例２における棒部材の取付構造を示す横断平面図であり、図６は、実施例２における棒部材の取付構造を示す縦断側面図である。以下、図５及び図６の左側をパネル１８の前方として説明する。
【００３２】
図６に示すように、パネル１８の前面側には、長手方向が左右方向に延びる棒部材１９が支持具２０を介して取り付けられるとともに、この棒部材１９の下方には、左右方向に長い板状の部材を屈曲させて形成された受部材２１が取り付けられており、受部材２１上に雑誌（図示略）の下端を載置するとともに、雑誌の上部の前倒を棒部材１９により保持することで雑誌を倒立状態で陳列することが可能な雑誌などを入れることができるマガジンラックが形成される。
【００３３】
図５及び図６に示すように、支持具２０は、略半円形状をなす２枚の支持板２２、２３を有し、この支持板２２、２３は互いに左右方向に離間されて配置される。２枚の支持板２２、２３の間には、支持板２２、２３同士を連結する連結板２４が配置されており、支持板２２、２３と連結板２４は合成樹脂の一体成型で形成される。内方側の支持板２３には、左右方向に貫通する貫通孔２５がパネル１８の前面から所定間隔離れた位置に形成されており、貫通孔２５の周囲には、支持板２３が肉厚に形成されて突出された肉厚部２６が設けられる。
【００３４】
更に、図６に示すように、支持具２０における連結板２４に形成された上下に２つの通孔２７には、本実施例における取付部材としてのネジ２８が挿通され、通孔２７に前方から挿通されたネジ２８が、パネル１８の前面に螺入されることによって、支持具２０がパネル１８の前面に取り付けられる。
【００３５】
支持具２０における支持板２２、２３同士の間の開口には、合成樹脂等の材質で形成された蓋部材２９が取り付けられるようになっており、この蓋部材２９は、図６に示すように、側面視で略半円弧形状をなしている。蓋部材２９の内面側には、側面視で略円形状をなす嵌挿部３０が形成されるとともに、蓋部材２９の上下の後端部には、係合爪３１が形成される。また、支持具２０における連結板２４の上下端部には、蓋部材２９の係合爪３１が係合される係合部３２が形成される。
【００３６】
棒部材１９の取付方法について説明すると、先ず、左右一対の支持具２０を互いに所定距離離間させてパネル１８の前面に取り付ける。支持具２０を取り付ける際には、支持具２０における連結板２４に形成された通孔２７に前方からネジ２８を挿通し、このネジ２８をパネル１８の前面に螺入させることで、支持具２０がパネル１８に取り付けられる。
【００３７】
そして、棒部材１９の例えば左側端部を、パネル１８の前面における左側に配置される支持具２０の内方側の支持板２３に形成された貫通孔２５に挿通させるとともに、棒部材１９の右側端部を、パネル１８の前面における右側に配置される支持具２０の内方側の支持板２３に形成された貫通孔２５に挿通させることで、棒部材１９の両端部は支持具２０における内方側の支持板２３に支持される。
【００３８】
図５に示すように、棒部材１９の両端部が、棒部材１９の左右に配置される両支持具２０における内方側の支持板２３に支持された状態で、棒部材１９の端部と、支持具２０における外方側の支持板２２の内面との間に間隔ｄが形成されるようになっており、棒部材１９は、間隔ｄ分だけ長手方向に移動できるようになっている。そのため左右両側に配置される各々の支持具２０をパネル１８の前面に取り付けた後に、棒部材１９の一方の端部を、一方の支持具２０の貫通孔２５に挿入し、この棒部材１９の端部が外方側に配置される支持板２２の内面に当接するまで、棒部材１９を左右方向に移動させると、棒部材１９の他方の端部を、他方の支持具２０の貫通孔２５に容易に挿入することができる。
【００３９】
図６に示すように、棒部材１９の両端部を支持具２０の内方側の支持板２３に支持させた後に、左右に配置される各々の支持具２０の外方側と内方側の支持板２２、２３同士の開口に、蓋部材２９を前方から取り付けると、蓋部材２９の上下の後端部に形成された係合爪３１が、支持具２０の連結板２４の係合部３２に係合されるようになっており、蓋部材２９の係合爪３１が連結板２４の係合部３２に係合することで、蓋部材２９が支持具２０から外れ難くなる。
【００４０】
また、図５に示すように、蓋部材２９が支持具２０に取り付けられると、蓋部材２９の嵌挿部３０が、棒部材１９の端部と、支持具２０における外方側の支持板２２の内面との間の間隔ｄに入り込み、棒部材１９の左右両端部（端面）が、左右に配置されている支持具２０に取り付けられた蓋部材２９の嵌挿部３０内面に当接されることで、棒部材１９の長手方向への移動が規制される。
【００４１】
このように、本実施例２に記載の棒部材の取付構造にあっては、左右の支持具２０をパネル１８に取り付けた後に棒部材１９を一方の支持具２０の貫通孔２５内に挿通した後、他方の支持具２０の貫通孔２５内に挿通させることができ、蓋部材２９を設けることで棒部材１９の左右端部と外側の支持板２２との間に形成される隙間に嵌挿部３０が嵌挿されることで、棒部材１９の長手方向への移動が規制されるため、支持具２０のパネル１８に対する取り付けを棒部材１９がない状態で容易に行うことができる。
【００４２】
以上、本発明の実施例を図面により説明してきたが、具体的な構成はこれら実施例に限られるものではなく、本発明の要旨を逸脱しない範囲における変更や追加があっても本発明に含まれる。
【００４３】
例えば、前記実施例では、棒部材の取付構造がマガジンラックに適用されていたが、本発明はこれに限定されるものではなく、タオルやネクタイ等を吊り掛けるための棒部材を壁等に取り付ける際における棒部材の取付構造にも適用できる。
【００４４】
また、前記実施例では、取付部材としてネジ等の螺入部材が用いられ、この螺入部材を用いて支持具をパネルに取り付けていたが、本発明はこれに限定されるものではなく、取付部材として釘や鋲等を用いて支持具をパネルに取り付けてもよい。
【００４５】
更に、前記実施例では、外方側の支持板と内方側の支持板との２枚の支持板により支持具が形成されていたが、本発明はこれに限定されるものではなく、支持具は、少なくとも貫通孔が形成される支持板と棒部材の端部に当接して長手方向への移動を規制する支持板とから構成されていれば、支持板の枚数は２枚に限定されるものではなく、例えば貫通孔が形成された２枚の支持板と、これら支持板間に配置される貫通孔が形成されていない１枚の支持板とから支持具を形成し、これにより左右方向に並設される２本の棒部材の一方の端部を１つの支持具により支持できるようにしてもよい。
【図面の簡単な説明】
【００４６】
【図１】実施例１における棒部材の取付構造が適用された本棚を示す斜視図である。
【図２】（ａ）は、実施例１における棒部材の取付構造を示す分解斜視図であり、（ｂ）は、実施例１における棒部材の取付構造を示す斜視図である。
【図３】実施例１における棒部材の取付構造を示す横断平面図である。
【図４】図３におけるＡ−Ａ縦断側面図である。
【図５】実施例２における棒部材の取付構造を示す横断平面図である。
【図６】図５におけるＢ−Ｂ縦断側面図である。
【符号の説明】
【００４７】
１                  本棚
２、１８            パネル
３、１９            棒部材
４、２０            支持具
５、２１            受部材
６                  雑誌
７、８、２２、２３  支持板
９、２４            連結板
１０、２５          貫通孔
１１、２６          肉厚部
１２                嵌合凹部
１３、２７          通孔
１４、２８          ネジ（取付部材）
１５、２９          蓋部材
１６                把持部
１７                ラウンド面
３０                嵌挿部
３１                係合爪
３２                係合部
【図１】
2006075259.tif 000003
【図２】
2006075259.tif 000004
【図３】
2006075259.tif 000005
【図４】
2006075259.tif 000006
【図５】
2006075259.tif 000007
【図６】
2006075259.tif 000008